(57)【要約】      （修正有）【課題】材料使用量が最小限に抑えられ、少数の機械を用いて純機械的に製造することができる箱構造を提供する。【解決手段】箱２１は、被覆処理された複数部分からなる箱部材１を基礎構造として作られ、２つの別個の同じく被覆処理された側壁１３，１４がこれに接着される。複数部分からなる箱部材１は、底面１０と、他の２つの側壁１１，１２と、を含んでいる。２つの別個の第３及び第４の側壁１３，１４は、複数部分からなる箱部材１のエッジに対して同一面上に並ぶように、またはこれより若干引っ込むように舌部４．１，４．２に接着され、複数部分からなる箱部材１は、いわば第３及び第４の側壁１３，１４を囲むように折り曲げられる。その結果、形状の安定した箱が得られ、その最も単純な形態では、上方が開いた箱である。【選択図】図７
2013022958.tif 000002
【特許請求の範囲】
【請求項１】
少なくとも５つの面が閉じられ、被覆処理された板紙（７，７’，７’’，７’’’，８，９）からなる、形状の安定した箱（１７，２１，３１，４１，５１）を機械的に製造する方法であって、
前記箱は、底面（１０）と、互いに対向する第１及び第２の側壁（１１，１２）と、互いに対向する第３及び第４の側壁（１３，１４）と、を有し、さらに、前記第１の側壁（１１）と前記第２の側壁（１２）の少なくとも一方と回動可能に結合され、一または複数の部分からなる、多部材から構成可能な蓋（２２，３２，４２，５２）を有することができ、
まず、互いに平行に配置された複数の板紙（７，７’，７’’，７’’，９）の全面を被覆材料（２）で被覆処理し、すべての側に折り返し部（２ａ）を形成することによって、前記底面（１０）及び少なくとも前記第１及び第２の側壁（１１，１２）を有する、複数部分からなる箱部材（１）を組み立てることと、
板紙（８）の全面を被覆材料（３）で被覆処理することによって、前記第３及び第４の側壁（１３，１４）をそれぞれ別々に製作し、前記被覆材料（３）の互いに対向する少なくとも２つのエッジを延在させて第１及び第２の舌部（４．１，４．２）とする一方、残りのエッジは折り返して折り返し部（３ａ）とすることと、
次いで、直角に折られた前記第１及び第２の舌部（４．１，４．２）を前記第１及び第２の側壁（１１，１２）の内面に接着することによって、前記第３及び第４の側壁（１３，１４）を前記複数部分からなる箱部材（１）に接合することと、を特徴とする方法。
【請求項２】
前記第３及び第４の側壁（１３，１４）を、それぞれ前記底面（１０）側の前記エッジで、少なくとも点状に前記底面（１０）に接着することを特徴とする、請求項１に記載の方法。
【請求項３】
前記被覆材料（３）の前記エッジを、前記第３及び第４の側壁（１３，１４）の前記底面（１０）側のエッジで、第３の舌部（４．３）として延在させ、前記第３の舌部（４．３）を直角に折って前記底面（１０）の内面に接着することを特徴とする、請求項２に記載の方法。
【請求項４】
前記複数部分からなる箱部材（１）を組み立てる際に、一体の板紙（７）を加工生成し、前記底面（１０）と前記第１の側壁（１１）との間、及び前記底面（１０）と前記第２の側壁（１２）との間に、前記被覆材料（２）での被覆処理に先立って折り線（５）を刻設することを特徴とする、請求項１から３のいずれか１項に記載の方法。
【請求項５】
少なくとも１つの追加の前記板紙（９）を、前記底面（１０）及び側壁（１１，１２）を形成する前記板紙（７，７’，７’’，７’’’）と平行に配置し、前記板紙とともに被覆処理をすることによって、前記複数部分からなる箱部材（１）は前記一または複数の部分からなる多部材から構成可能な蓋（２２，３２，４２，５２）を含み、それによって、前記蓋（２２，３２，４２，５２）を前記第１の側壁（１１）と前記第２の側壁（１２）の少なくとも一方と回動可能に結合することを特徴とする、請求項１から４のいずれか１項に記載の方法。
【請求項６】
相互に重なり合う複数の前記蓋（４３．１，４３．２を有する４２）の前記板紙の欠損部、または相互に重なり合う前記蓋（５２ｂを有する５２）と前記側壁（１２）の前記板紙の欠損部に磁石（１９．１，１９．２）をはめ込むことを特徴とする、請求項５に記載の方法。
【請求項７】
前記一または複数の部分からなる多部材から構成可能な蓋（２２，３２，４２，５２）の少なくとも内面を、被覆材料（２０）によって光沢仕上げすることを特徴とする、請求項５または６に記載の方法。
【請求項８】
前記複数部分からなる箱部材（１）に前記第３及び第４の側壁（１３，１４）を組み込む際に、まず前記第３及び第４の側壁（１３，１４）をそれらの前記第１の舌部（４．１）によって前記第１の側壁（１１）の内面に接着し、次いで前記複数部分からなる箱部材（１）の前記第２の側壁（１２）を、前記第２の舌部（４．２）の上に折り、前記第２の舌部（４．２）に接着することを特徴とする、請求項１から７のいずれか１項に記載の方法。
【請求項９】
前記第１の側壁（１１）の内面に前記第３及び第４の側壁（１３，１４）を接着する前に、前記複数部分からなる箱部材（１）の前記底面（１０）を前記第１の側壁（１１）に対して直角に折ることを特徴とする、請求項８に記載の方法。
【請求項１０】
底面（１０）並びに少なくとも第１及び第２の側壁（１１，１２）を有する複数部分からなる箱部材（１）であって、互いに平行に配置された複数の板紙（７，７’，７’’，７’’，９）を有し、前記複数の板紙はその全面が被覆材料（２）でともに被覆処理され、すべての側に折り返し部（２ａ）が形成されている、複数部分からなる箱部材（１）と、
全面が被覆材料（３）で被覆処理された板紙（８）からそれぞれ別々に形成された第３及び第４の側壁（１３，１４）であって、前記被覆材料（３）の互いに対向する少なくとも２つのエッジが延在して第１及び第２の舌部（４．１，４．２）とされる一方、残りのエッジは折り返されて折り返し部（３ａ）とされている第３及び第４の側壁と、
直角に折られた前記第１及び第２の舌部（４．１，４．２）を前記第１及び第２の側壁（１１，１２）の内面に接着することによって、前記複数部分からなる箱部材（１）と前記第３及び第４の側壁（１３，１４）とが接合されて、形状が安定し少なくとも５つの面が閉じられた箱（１７，２１，３１，４１，５１）をなしていることを特徴とする箱。
【請求項１１】
前記第３及び第４の側壁（１３，１４）は、それぞれ前記底面（１０）側の前記エッジで、少なくとも点状に前記底面（１０）に接着されていることを特徴とする、請求項１０に記載の箱。
【請求項１２】
前記複数部分からなる箱部材（１）は少なくとも１つの一体の板紙（７）を有しており、折り線（５）が前記底面（１０）と前記第１の側壁（１１）との間、及び前記底面（１０）と前記第２の側壁（１２）との間に刻設されていることを特徴とする、請求項１０または１１に記載の箱。
【請求項１３】
前記複数部分からなる箱部材（１）は一または複数の部分からなる多部材から構成可能な蓋（２２，３２，４２，５２）を含み、少なくとも１つの追加の板紙（９）が、前記底面（１０）及び側壁（１１，１２）を形成する前記板紙（７，７’，７’’，７’’’）と平行に配置され、前記板紙とともに被覆処理され、それによって、前記蓋（２２，３２，４２，５２）が前記第１の側壁（１１）と前記第２の側壁（１２）の少なくとも一方と回動可能に結合されていることを特徴とする、請求項１０から１２のいずれか１項に記載の箱。
【請求項１４】
相互に重なり合う複数の前記蓋（４３．１，４３．２を有する４２）の前記板紙の欠損部、または相互に重なり合う前記蓋（５２ｂを有する５２）と前記側壁（１２）の前記板紙の欠損部に磁石（１９．１，１９．２）がはめ込まれていることを特徴とする、請求項１３に記載の箱。
【請求項１５】
前記一または複数の部分からなる多部材から構成可能な蓋（２２，３２，４２，５２）の少なくとも内面が、被覆材料（２０）によって光沢仕上げされていることを特徴とする、請求項１３または１４に記載の箱。
【請求項１６】
前記第１の側壁（１１）と前記第２の側壁（１２）の少なくとも一方の、前記底面（１０）と反対側にある外側エッジは、直線とは異なる輪郭を有していることを特徴とする、請求項１０から１５のいずれか１項に記載の箱。
【発明の詳細な説明】
【技術分野】
【０００１】
本発明は箱の製造方法と箱の構造に関する。
【背景技術】
【０００２】
被覆処理された板紙からなる形状の安定した箱は、販売、贈答用の高価値な包装として用いられており、精密ボール箱または高級ボール箱とも呼ばれる。典型的な代表例は、５つの面が閉じられ１つの面が開いた箱を２つ備えるＣ式身フタ箱 (Stuelpschachtel)である。個々の箱は本の外箱としても用いられる。そのほか、５つの面が閉じられた箱が、複数の部分からなる蓋構造と接合された、開閉蓋付きの箱もある。
【０００３】
このような箱の製造は高いコストがかかり、融通性がさほど高くなく、部分的に材料を二重にしているため、比較的高価である。
【０００４】
これは以下の理由による。製造の際には、まず、個別に製作された打抜き工具によって、比較的複雑な板紙材料ブランクと被覆材料ブランクとが打ち抜かれる。完全には打ち抜かれていない分離継目を介してまだ底面とつながっている板紙ブランクの４つの側壁が、箱被覆装置によって立て起こされる。箱装置は、箱の判型に合わせて個別に調整された、底面を立て起こしシャフトに押しつける押し型を備えている。側壁は、コーナーに接着された紙テープ、または継目に吹き付けられた接着剤ビードによって固定される。そして、このようにして形成されたボール箱が、全面に接着剤が設けられた被覆材料ブランクの上に載せられ、個別に製作された両押し型によって、被覆材料ブランクとともに圧着シャフトに押しつけられる。その際、まず被覆材料の対向する２つの側面が圧着され、箱のエッジで折り曲げられ、次いで、他の２つの側面が圧着される。上方に延在する被覆材料は、両押し型の上側部分が箱から持ち上げられてから、内側に向けて折られ、押し型が再び下方に動くことによって、ボール箱の内面へ折り返されて圧着される。
【０００５】
開閉蓋付き箱の、複数の部分からなる蓋構造は、互いに平行に配置された複数の板紙から構成され、複数の板紙の全面は、すべての側に折り返し部を有するように、ともに被覆処理される。この蓋構造は底面を有しており、被覆された箱が後からこの底面に手作業で接着される。本来の蓋は追加の側壁を介して底面と結合され、多くの場合、さらに別の被覆材料で光沢仕上げされる。このように、従来技術に基づく開閉蓋付き箱は、二重の底面と、少なくとも１つの二重の側壁とを有している。
【発明の概要】
【発明が解決しようとする課題】
【０００６】
複数の部分からなる蓋構造の製作には、例えば表紙貼り機のような板紙被覆・折込み機が必要である。箱の製造には、打抜き機のほかに、特別な箱被覆機が必要である。そして、蓋構造の箱への組み込みは依然として手作業で行われている。
【０００７】
別の箱判型への設備変更は、高いコストと結びついている。板紙の打抜き工具と被覆材料を準備するだけでなく、判型に合わせて個別に調整された押し型や、さらに別の圧着手段を用意しなくてはならない。箱被覆機のセットアップ段階では、押し型の修正作業もしばしば必要となるため、設備変更とセットアップが数時間にも及ぶことがある。従って、箱を経済的に作成できるのは製作数が比較的多い場合に限られる。
【０００８】
本発明の目的は、高価値な箱を少ない製作数でも経済的に、かつ高い融通性で製造できる、箱の製造方法を提供することにある。さらに、材料使用量が最小限に抑えられ、少数の機械を用いて純機械的に製造することができる箱構造を提案することを目的とする。
【課題を解決するための手段】
【０００９】
この目的は、請求項１に記載の方法及び請求項１０に記載の箱構造によって達成される。従属請求項は、本発明による方法及び本発明による箱構造の好ましい実施態様を規定している。
【００１０】
本発明による方法では、箱は、被覆処理された複数部分からなる箱部材を基礎構造として作られ、２つの別個の同じく被覆処理された側壁がこれに接着される。複数部分からなる箱部材は、底面と、４つの側壁の内の２つの側壁と、を含んでいる。他の２つの側壁は、複数部分からなる箱部材のエッジに対して同一面上に並ぶように、またはこれより若干引っ込むように舌部に接着され、複数部分からなる箱部材は、いわば第３及び第４の側壁を囲むように折り曲げられる。その結果、形状の安定した箱が得られ、その最も単純な形態では、上方が開いた箱である。
【００１１】
本発明による方法では、単純な板紙ブランクと被覆材料ブランクとが加工生成される。これらは、一般的な板紙用丸刃シャーや個別紙断裁機で断裁可能なものである。その後は、個別被覆紙のコーナーを切り落とすだけでよい。複数部分からなる箱部材だけでなく、別部材である第３及び第４の側壁も、例えば表紙貼り機のような、一般的な板紙被覆・折込み機によって製作することができる。複数部分からなる箱部材に第３及び第４の側壁を組み付ける際には、第３及び第４の側壁の舌部に接着剤を施し、９０°折り曲げて、複数部分からなる箱部材の内面に押付けるだけでよい。
【００１２】
この用途に用いられる機械は、構造に関し、周知の箱被覆機よりも大幅に簡素なものでよく、かつ別の判型に合わせて簡単にセットアップすることができる。高いコストのかかる従来の箱の立て起こし作業は、いわば、複数部分からなる箱部材を単純に折り曲げる作業に置き換えられる。コーナーに紙テープを接着することにより、あるいは接着剤ビードを継目に吹き付けることにより箱を固定する必要もなくなる。さらに、被覆材料を箱に圧着し、高いコストをかけて折り返したり折り込んだりしなくてよいので、個別に調整された押し型も必要なくなる。
【００１３】
特に、第１の側壁と第２の側壁との間の底面の幅が広い箱については、第３及び第４の側壁を、それぞれ底面側のエッジで、少なくとも点状に底面に接着することによって、箱の安定性を高めることができる。この接着は、単純な態様においては、被覆材料のエッジを、第３及び第４の側壁の底面側のエッジで、第３の舌部として延在させ、これらの舌部を直角に折って、底面の内面に接着することによって行うことができる。
【００１４】
一体の板紙を加工することで、板紙被覆・折込み機での板紙の取扱いが簡略化される。さらに、ただ１つの板紙（そうでない場合、３つ以上の板紙が必要となる）を断裁するべきである。一体の板紙に折り線を刻設することで、底面と第１の側壁との間、及び底面と第２の側壁との間に鋭いエッジの稜線が生じる。この稜線は、複数部分からなる箱部材を折ったときに隙間のない完全な密着性が得られるような鋭いエッジの稜線であり、箱被覆機では作成できないものである。
【００１５】
複数部分からなる箱部材に板紙を追加的に配置することによって、開閉蓋付き箱を簡単に実現することができる。この開閉蓋付き箱は、二重の底面や側壁を有していない。追加的に配置される板紙の配置に応じて、種々の開閉蓋付き箱構造を製作することができる。そのような蓋は、単純な一体型の蓋から、観音開きの蓋、さらには、相互に重なり合う、または対向する側壁に重なり合う、複数部分からなる蓋までを含んでいる。相互に重なり合う蓋の板紙欠損部、または相互に重なり合う蓋と側壁の板紙欠損部に磁石をはめ込むことによって、開閉蓋付き箱に閉止部を簡単な方法で組み込むことができる。一または複数の部分からなり多部材から構成可能な蓋の少なくとも内面は、被覆材料によって光沢仕上げされるのが好ましい。
【００１６】
複数部分からなる箱部材への第３及び第４の側壁の組み込みは、簡単な態様では、まず、第３及び第４の側壁をそれぞれ、第１の舌部によって第１の側壁の内面に接着し、次いで、複数部分からなる箱部材の第２の側壁を、第２の舌部の上に折り、第２の舌部に接着することによって行うことができる。それにより、第１の側壁の内面は、第３及び第４の側壁を位置決めし第１の舌部を圧着するために、自由に接近可能な状態とすることができる。第１の側壁の内面に第３及び第４の側壁を圧着する前に、複数部分からなる箱部材の底面を第１の側壁に対して直角に折ることで、第３及び第４の側壁を、それらを組み込む前に、第１の側壁に対して直角を向く底面に揃えることができる。
【００１７】
側壁の外側エッジにある把持用窪み等の開口部は、第１の側壁と第２の側壁の少なくとも一方の外側エッジにおける、直線とは異なる輪郭によって実現することができる。第１及び第２の側壁は、複数部分からなる箱部材の構成要素であるため、このような種類の曲線状のエッジは、板紙被覆・折込み機であらかじめ折り込んで圧着しておくことができる。
【図面の簡単な説明】
【００１８】
【図１】把持用窪みを備える本の外箱を示す図である。
【図２】単純な蓋を備える開閉蓋付き箱を示す図である。
【図３】観音開きの蓋を備える開閉蓋付き箱を示す図である。
【図４】相互に重ね合わされた複数の蓋を備える開閉蓋付き箱を示す図である。
【図５】対向する側壁と重なり合う蓋を備える開閉蓋付き箱を示す図である。
【図６】本発明の箱の製造方法のステップを示すブロック図である。
【図７】複数部分からなる箱部材への第３及び第４の側壁の組み込みを示す概略図である。
【図８】刻設された折り線を示す詳細図である。
【発明を実施するための形態】
【００１９】
次に、本発明の実施形態について図面を参照して説明する。図１〜５は、本発明による箱の様々な実施形態を示している。図６〜８は、本発明による方法の各ステップを示している。
【００２０】
図１に示す本の外箱１７は、実質的に５つの側が閉じた箱であり、底面１０並びに第１及び第２の側壁１１，１２を有する複数部分からなる箱部材１と、第３及び第４の側壁１３，１４と、から構成されている。複数部分からなる箱部材１は、互いに平行に配置された板紙７’，７’’，７’’’を有している。板紙７’，７’’，７’’’は、その全面が被覆材料２でともに被覆処理されており、すべての側に折り返し部２ａが形成されている。この箱部材は、折り線５の周りで直角に２回折り返されている。第３及び第４の側壁１３，１４はそれぞれ、全面が被覆材料３で被覆処理された板紙８から構成されている。第３及び第４の側壁１３，１４は、第１及び第２の側壁１１，１２の内面に接着された第１及び第２の舌部４．１，４．２を介して、箱部材１と連結されて、形状の安定した本の外箱１７を形成している。板紙７’，７’’’に欠損部を設けることで、第１及び第２の側壁１１，１２の外側エッジに把持用窪み１８ａ，１８ｂが形成されている。把持用窪み１８ａ，１８ｂは、ぎざぎざに打ち抜かれた被覆材料２で覆われている。
【００２１】
図２に示す開閉蓋付き箱２１は、同じく５つの側で閉じた箱であり、ヒンジ６を介して第２の側壁１２に配置された蓋２２を有している。蓋２２は、複数部分からなる箱部材の構成要素である。
【００２２】
図３に示す開閉蓋付き箱３１は、複数部材、すなわち第１及び第２の蓋３３．１，３３．２からなる観音開きの蓋３２を有している。第１及び第２の観音開きの蓋３３．１，３３．２はそれぞれ、互いに対向する第１及び第２の側壁１１，１２にヒンジ６を介して配置され、観音開きの蓋３２が閉じたときに互いに突き合うように位置する。本実施形態でも、２つの観音開きの蓋３３．１，３３．２は、複数部分からなる箱部材の構成要素である。
【００２３】
図４に示す開閉蓋付き箱４１も、同様に複数の部材からなる蓋４２を有しており、第１及び第２の蓋４３．１，４３．２が相互に重なり合っている。蓋４３．１，４３．２が相互に重なり合う領域における板紙の欠損部に磁石１９．１，１９．２をはめ込むことで、蓋４３．１，４３．２に磁石による閉止部が設けられている。
【００２４】
図５に示す開閉蓋付き箱５１は、第２の側壁１２に配置された、複数部材からなる蓋５２を有している。蓋５２は、追加のヒンジ６ａを介して回動可能に互いに連結された２つの第１及び第２の蓋部分５２ａ，５２ｂを有している。第２の蓋部分５２ｂは、蓋５２が閉じられたときに、対向する第１の側壁１１に重なり合う。本実施形態でも、第１の側壁１１及び蓋部分５２ｂにはめ込まれた磁石１９．１，１９．２を備える、磁石による閉止部が設けられている。
【００２５】
上述した本発明による箱の実施形態は、考え得る箱構造のうち少数のものを選択して示しているにすぎない。本発明の構造原理、すなわち複数部分からなる箱部材１と、これに接着された別個の側壁１３，１４と、基づき、形状の安定した他のボール箱を設計することもできる。例えば、上方が開口した縦型ファイルボックス(Stehschuber)、（本発明の構造原理に基づいて構成された２つの箱を有する）Ｃ式身フタ箱などが挙げられる。
【００２６】
図６には、このような箱の本発明による製造方法が、単純な蓋２２を備える開閉蓋付き箱２１を例に、ブロック図で示されている。製造にあたっては、それぞれ判型に合わせて断裁された板紙７（７’，７’’，７’’’），８，９及び個別被覆紙２，３が加工生成される。念のため、断裁の各ステップも図示されている。
【００２７】
必要な板紙７（７’，７’’，７’’’），８，９は、大きい版型の板紙シート６６から断裁される。板紙断裁プロセス６１は、板紙用丸刃シャーによって行われる。箱２１の様々な板紙７（７’，７’’，７’’’），８，９を準備するために、複数の手順６１．１〜６１．３が必要となる。必要な個別被覆紙２，３は、個別紙切断機によって切断される。被覆材料はロール６７またはシートとして供給することができる。被覆材料は単なる紙、印刷された紙、フィルムがラミネートされた紙、フィルム、布地、皮革などであってよい。個別紙に断裁するプロセス６２に続き、角部を裁ち落とす手順６３が行われ、後で折り返し部２ａ，３ａとなる領域で不要となる被覆材料が裁ち落とされる。複数部分からなる箱部材１の個別被覆紙２においては、角部２ｂが直線状に裁ち落とされる。一方、第３及び第４の側壁１３，１４の個別被覆紙３においては、角部３ｂが切込みを入れるように裁ち落とされる。個別被覆紙２，３に対し２つの異なる断裁が必要となるため、２つの手順６２．１，６２．２及び６３．１．６３．２が必要となる。
【００２８】
そして、例えば表紙貼り機のような紙被覆・折込み機によって、別々の手順６４．１，６４．２で、断裁された個々の部材から、複数部分からなる箱部材１と、第３及び第４の側壁１３，１４とが、それぞれ組み立てられる。板紙被覆のプロセス６４は、延在する個別被覆紙のエッジを折り込むことも含んでいるが、第３及び第４の側壁１３，１４においては、被覆材料３の互いに対向する少なくとも２つのエッジは折り込まれず、第１及び第２の舌部４．１，４．２となる。
【００２９】
板紙被覆のプロセス６４に続いて、例えばエンボス加工や閉止部の取付けといった後加工ステップを行うことができる。例えば磁石１９．１，１９．２を、板紙の対応する欠損部にはめ込むことができる。追加の被覆工程では、少なくとも後で蓋２２となる部分の内面に、被覆材料２０によって光沢仕上げを施すことができる。
【００３０】
図６より明らかなように、複数部分からなる箱部材１では、個別の板紙７（７’，７’’，７’’’），９が平行に相並ぶように配置されている。互いに隣接する板紙７（７’，７’’，７’’’），９の間には、折り線５とヒンジ６が構成されている。単純な蓋２２を備える開閉蓋付き箱２１では、４つの個別の板紙が必要である。すなわち、底面１０並びに第１及び第２の側壁１１，１２のために、それぞれ１つの板紙７’，７’’，７’’’が必要であり、蓋２２のために板紙９が必要である。開閉蓋付き箱２１に、特に鋭くかつ完全な密着性の得られるエッジを設ける場合、板紙７’，７’’，７’’’は一体の板紙７であってよい。この場合、折り線５はＶ字型の溝７ａとして、一体の板紙７に刻設される。図８を参照のこと。この溝は一体の板紙７の被覆加工の直前に、表紙貼り機で行うことができる。
【００３１】
製造方法の最後に、図７を参照して説明する開閉蓋付き箱２１の組み込み６５が行われる。第３及び第４の側壁１３，１４の両方の舌部４．１，４．２が内方に向かって直角に折られ（折り７１）、接着材の塗布７４が行われる。そして、第３及び第４の側壁１３，１４の第１の舌部４．１が、複数部分からなる箱部材１の第１の側壁１１の内面に接着される。次いで、複数部分からなる箱部材１が、２回の折り７２，７３によって第３及び第４の側壁１３，１４の回りで折り曲げられ、それにより、最終的に複数部分からなる箱部材１の第２の側壁１２が、第３及び第４の側壁１３，１４の第２の舌部４．２に押しつけられ、それによって接着される。
【００３２】
舌部４．１の接着の前に、複数部分からなる箱部材１の底面１０はすでに第１の側壁１１に対して直角に折られているので、第３及び第４の側壁１３，１４を底面１０に揃えることができる。
【００３３】
第３及び第４の側壁１３，１４は、第１及び第２の側壁１１，１２の外側エッジと同一面上に並ぶように、または若干これよりも引っ込むように、組み込むことができる。底面１０の幅が比較的広い（第１及び第２の側壁１１，１２の間隔が広い）箱については、安定性を向上させるために、第３及び第４の側壁１３，１４のそれぞれ底面１０側のエッジを、１つまたは複数の追加の接着点７５によって底面１０に接着することができる。これに代えて、第３及び第４の側壁１３，１４の該当するエッジの位置で、折り返されていない第３の舌部４．３を、底面１０の内面に接着することができる。
【符号の説明】
【００３４】
１  複数部分からなる箱部材
２，３  個別被覆紙（被覆材料）
４．１，４．２  舌部
５  折り線
６  ヒンジ
７，８，９  板紙
１０  底面
１１〜１４  第１〜第４の側壁
１７  本の外箱
１９．１，１９．２  磁石
２１  開閉蓋付き箱
２２  蓋
【図１】
2013022958.tif 000003
【図２】
2013022958.tif 000004
【図３】
2013022958.tif 000005
【図４】
2013022958.tif 000006
【図５】
2013022958.tif 000007
【図６】
2013022958.tif 000008
【図７】
2013022958.tif 000009
【図８】
2013022958.tif 000010